(57)【要約】
【課題】紙石けんが折れにくく、携帯に便利な紙石けん収納体を提供する。
【解決手段】水溶性樹脂と逆性石けんとからなる紙石けんと、該紙石けんを収納する収納体とからなり、収納体から紙石けんを取り出すことができる紙石けん収納体。たとえば、複数枚の紙石けん１を挟むように１枚のカバー２で覆って綴じ、冊子とする。
【選択図】図１
0003099184.tif 000002
【実用新案登録請求の範囲】
【請求項１】
水溶性樹脂と逆性石けんとからなる紙石けんと、該紙石けんを収納する収納体とからなり、収納体から紙石けんを取り出すことができるようにした紙石けん収納体。
【請求項２】
収納体が複数枚の紙石けんを挟むように覆う１枚のカバーであって、複数枚の紙石けんはカバーとともに綴じられており、カバーを開けて紙石けんを１枚ずつ剥がすことができるようにした請求項１記載の紙石けん収納体。
【請求項３】
収納体が取り出し口を設けたケースであり、取り出し口から紙石けんを１枚ずつ引き出すことができるようにした請求項１記載の紙石けん収納体。
【請求項４】
収納体が袋状であり、袋の口から紙石けんを１枚ずつ引き出すことができるようにした請求項１記載の紙石けん収納体。
【請求項５】
収納体が取り出し口を設けたケースであって、収納体中のロール状にした紙石けんを、取り出し口から引き出すことができるようにした請求項１記載の紙石けん収納体。
【請求項６】
水溶性樹脂がデンプンからなる請求項１記載の紙石けん収納体。
【請求項７】
水溶性樹脂がデンプンからなる請求項２、３、４または５記載の紙石けん収納体。
【考案の詳細な説明】
【技術分野】
【０００１】
　本考案は、紙石けん収納体に関する。
【背景技術】
【０００２】
　通常、石けんは、固形石けんや液状石けんの形態で用いられるが、近年、携帯用に便利な石けんとして、薄型の紙状石けん（紙石けん）が開発されている。
【０００３】
　たとえば、特開平８−１６５４９１号公報には、特定の水溶性高分子とアニオン界面活性剤とを特定の比率で混合し、シート状に加工する方法が開示されている。しかしながら、薄く加工した石けんは、折れやすいという問題があった。
【０００４】
　また、特開２００３−８２３９７号公報および特開２００３−７３７００号公報には、パルプ材とカルボキシメチルセルロールから作製したシートに、オレフィンスルホン酸ナトリウムなどの界面活性剤を塗布して紙石けんを得る方法が記載されている。この方法では、木材パルプを使用することにより、紙石けんの強度を高めることはできるが、使用時に木材パルプが溶解せずに残るという問題があった。
【考案の開示】
【考案が解決しようとする課題】
【０００５】
　本考案は、紙石けんが折れにくく、携帯に便利な紙石けん収納体を提供することを目的とする。
【課題を解決するための手段】
【０００６】
　本考案は、水溶性樹脂と逆性石けんとからなる紙石けんと、該紙石けんを収納する収納体とからなり、収納体から紙石けんを取り出すことができるようにした紙石けん収納体に関する。
【０００７】
　前記紙石けん収納体は、収納体が複数枚の紙石けんを挟むように覆う１枚のカバーであって、複数枚の紙石けんはカバーとともに綴じられており、カバーを開けて紙石けんを１枚ずつ剥がすことができる構造であることが好ましい。
【０００８】
　また、前記紙石けん収納体は、収納体が取り出し口を設けたケースであり、取り出し口から紙石けんを１枚ずつ引き出すことができる構造であることが好ましい。
【０００９】
　また、前記紙石けん収納体は、収納体が袋状であり、袋の口から紙石けんを１枚ずつ引き出すことができる構造であることが好ましい。
【００１０】
　また、前記紙石けん収納体は、収納体が取り出し口を設けたケースであって、収納体中のロール状にした紙石けんを、取り出し口から引き出すことができる構造であることが好ましい。
【００１１】
　紙石けんを構成する水溶性樹脂は、デンプンからなることが好ましい。
【考案の効果】
【００１２】
　本考案によれば、紙石けんが折れにくく、携帯に便利な紙石けん収納体を提供することができる。
【考案を実施するための最良の形態】
【００１３】
　本考案に用いられる紙石けんは、水溶性樹脂と逆性石けんとからなる。
【００１４】
　前記水溶性樹脂としては、天然樹脂もしくはその誘導体または合成樹脂が用いられる。天然樹脂としては、たとえば、デンプン、寒天、カルボキシメチルセルロース、メチルセルロース、ヒドロキシエチルセルロース、ヒドロキシプロピルセルロース、アルギン酸、アラビアゴムなどの多糖類などがあげられる。合成樹脂としては、たとえば、ポリビニルアルコール、ポリビニルピロリドン、ポリアクリル酸、カルボキシビニルポリマーなどのビニル系樹脂などがあげられる。これらは、単独で用いてもよく、２種以上を組み合わせて用いてもよい。とくに、デンプンが好ましく用いられる。また、デンプンを主成分とするオブラートも同様に好ましく用いられる。オブラートは、通常、デンプンのほかに乳化剤として大豆レシチンなどを含む。また、デンプンに寒天などを混合して強度を高めたものもある。
【００１５】
　前記水溶性樹脂の重量平均分子量は、２０００〜５０００００、さらには５０００〜３０００００であることが好ましい。重量平均分子量が小さすぎても大きすぎても加工性が低下する傾向がある。
【００１６】
　前記逆性石けんとは、通常洗浄用に用いられるカチオン界面活性剤のことであり、第３級アミン、第４級アンモニウム塩などのカチオン性の親水基と、長鎖アルキル基などの親油基とからなる。本考案では、アニオン界面活性剤ではなくカチオン界面活性剤を用いるので、細菌などのアニオン性のものと強く結合し、殺菌作用が強い。前記逆性石けんの具体例としては、塩化ベンザルコニウム、塩化ベンザトニウムなどがあげられる。
【００１７】
　紙石けん中、前記水溶性樹脂と逆性石けんとの比率は、加工性、洗浄性の点より、重量比で、５／９５〜９５／５であることが好ましい。
【００１８】
　本考案に用いられる紙石けんは、前記水溶性樹脂および逆性石けんのほかにも、保湿成分、香料、着色料などを含むことができる。
【００１９】
　つぎに、本考案に用いられる紙石けんの製造方法について説明する。紙石けんの製造方法としては、とくに制限はないが、前記水溶性樹脂と逆性石けんとを溶解した水溶液を得たのち、紙状に乾燥する方法が好ましい。
【００２０】
　水溶性樹脂と逆性石けんとを溶解した水溶液を得る際には、水溶性樹脂の水溶液と逆性石けんの水溶液を混合してもよく、水溶性樹脂の水溶液に逆性石けんを溶解してもよく、逆性石けんの水溶液に水溶性樹脂を溶解してもよいが、水溶性樹脂と逆性石けんとが均一に混合された状態とすることが好ましい。
【００２１】
　水溶液の乾燥方法は、とくに限定されないが、たとえば、キャスティング法、ドラム式乾燥法、ベルト式乾燥法、押し出し成型法などを用いることができる。
【００２２】
　また、紙石けんの製造方法としては、あらかじめ紙状に加工した水溶性樹脂に、逆性石けんを塗布するなどして含浸させたのち、乾燥する方法も用いられる。逆性石けんは、そのまま塗布することができ、また、水やアルコールなどで希釈して塗布することもできる。
【００２３】
　このようにして得られる紙石けんの厚さは、とくに限定されないが、加工性、溶解性、柔軟性の点で、０．１〜１ｍｍの紙状であることが好ましい。
【００２４】
　紙石けんの形状は、とくに制限はないが、正方形、長方形などとすることができ、また、芯に巻きつけるなどしてロール状にすることもできる。紙石けんのサイズは、とくに限定されず、たとえば、一辺の長さが２〜１５ｃｍの正方形や長方形、幅２〜１５ｃｍのロールにすることができる。
【００２５】
　本考案で用いられる紙石けんは、非常に柔軟であり、たとえば、折り畳んでも割れないという特徴を有する。さらに、本考案で用いられる紙石けんは、非常に水に対する溶解性に優れ、実質的に水溶性の化合物のみからなるため、溶解残渣を生じないという特徴を有する。たとえば、１枚の紙石けんを１回の手洗いで使い切ることができる。
【００２６】
　前記紙石けんは、たとえば、手洗い用などの薬用石けんとして使用される。
【００２７】
　本考案の紙石けん収納体は、前記紙石けんと、それを収納する収納体とからなり、収納体から紙石けんを取り出すことができるようにしたものである。具体的には、図１のように、カバーをつけて冊子としたものや、図２のように、ティッシュペーパーのようにケースに入れたもの、図４のように、袋に入れたもの、図５のように、ロール状にした紙石けんをケースに入れたものなどがあげられる。
【００２８】
　図１は、本考案の一実施の形態における紙石けん収納体の構成を説明するための図である。図１において、１は紙石けん、２はカバーである。１枚のカバー２が複数の紙石けん１を挟むように覆い、複数の紙石けんはカバーとともに綴じられて、冊子状になっている。紙石けんの使用時には、カバーを開けて紙石けんを１枚ずつ剥がして使用することができる。複数の紙石けんをカバーとともに綴じる方法としては、とくに制限はないが、糸や糊を用いる方法が採用できる。
【００２９】
　図２は、本考案の別の一実施の形態における紙石けん収納体の構成を説明するための図である。図２において、１は紙石けん、３はケース、４はケースに設けた取り出し口である。紙石けんの使用時には、ティッシュペーパーのように取り出し口４から紙石けん１を１枚ずつ引き出して使用することができる。紙石けん１は、単に積み重ねてケース３に入れておくこともできるが、図３のように、紙石けん１を１枚ずつ２つに折りたたみ、それらを順に交差させながら積み重ねた状態でケース３に入れておけば、紙石けん１を１枚引き出したときにつぎの１枚が取り出し口４から部分的に出てきて、より容易に１枚ずつ引き出しやすくなる。とくに紙石けんを引き出しやすくするためには、図３において、ａの長さとｂの長さの比を６：４〜８：２とすることが好ましい。また、図２では、ケース３は四角柱であるが、紙石けん１の形状に合わせてその他の形とすることができる。図２では、ケース３の上部に長方形の孔を開けて取り出し口４を設けているが、取り出し口の形状、形態および位置は、紙石けんを１枚ずつ容易に取り出すことができれば、とくに制限されない。紙石けんを外部の埃、湿気などから保護するために、取り出し口を覆うように蓋を設けてもよい。
【００３０】
　図４は、本考案の別の一実施の形態における紙石けん収納体の構成を説明するための図である。図４において、１は紙石けん、５は袋、６は袋の口である。使用時には、袋の口６から紙石けん１を１枚ずつ引き出して使用することができる。図４では、袋５は長方形であるが、紙石けん１の形状に合わせてその他の形とすることができる。袋の口６の部分には、紙石けんを外部の埃、湿気などから保護するために、また、袋から紙石けんがバラけて外に出さないように、袋の口を覆うように蓋を設けてもよいし、袋の口に紐を通して巾着のようにするなどして、閉じられるようにしてもよい。
【００３１】
　図５は、本考案の別の一実施の形態における紙石けん収納体の構成を説明するための図である。図５において、１はロール状にした紙石けん、３はケース、４はケースに設けられた取り出し口である。使用時には、取り出し口４から紙石けんを必要な長さだけ引き出して切り取ることができる。紙石けん１には、切り取りやすいように、ミシン目を入れることもできる。ケース３は、ロール状にした紙石けんを収納することができれば、形状はとくに限定されず、円柱型や四角柱型などにすることができる。ケース３には、紙石けんを外部の埃、湿気などから保護するために、取り出し口４を覆うように蓋を設けてもよい。また、取り出し口４は、紙石けんを容易に取り出すことができれば、形状、形態および位置は、とくに制限されない。取り出し口４には、紙石けんが切り取りやすいように、刃を設けるなどの加工を施してもよい。
【図面の簡単な説明】
【００３２】
【図１】図１は、本考案の一実施の形態における紙石けん収納体の構成を説明するための図である。
【図２】図２は、本考案の一実施の形態における紙石けん収納体の構成を説明するための図である。
【図３】図３は、本考案の一実施の形態における紙石けん収納体中の紙石けんを積み重ねた状態を説明するための図である。
【図４】図４は、本考案の一実施の形態における紙石けん収納体の構成を説明するための図である。
【図５】図５は、本考案の一実施の形態における紙石けん収納体の構成を説明するための図である。
【符号の説明】
【００３３】
　１　紙石けん
　２　カバー
　３　ケース
　４　取り出し口
　５　袋
　６　袋の口
【図１】
0003099184.tif 000003
【図２】
0003099184.tif 000004
【図３】
0003099184.tif 000005
【図４】
0003099184.tif 000006
【図５】
0003099184.tif 000007